(57)【要約】【課題】  複数個のリモコンの中から１つを識別し、その識別したリモコンの特徴に合わせた表示，動作をする表示装置及び表示方法を提供する。【解決手段】  複数のリモコンに対応する表示装置において、前記リモコンから送信されるリモコンコード信号を受信し、そのリモコンコード信号からどのリモコンであるかを識別する識別部と、前記複数のリモコンに対応した画面情報を予め保持する保持部と、前記識別部によって識別された前記リモコンに対応する前記画面情報の呼び出し要求があった場合に、前記保持部に保持された前記画面情報を表示させる制御部とを具備することを特徴とする。【選択図】      図１
2008160412.tif 000002
【特許請求の範囲】
【請求項１】
複数のリモコンに対応する表示装置において、
前記リモコンから送信されるリモコンコード信号を受信し、そのリモコンコード信号からどのリモコンであるかを識別する識別部と、
前記複数のリモコンに対応した画面情報を予め保持する保持部と、
前記識別部によって識別された前記リモコンに対応する前記画面情報の呼び出し要求があった場合に、前記保持部に保持された前記画面情報を表示させる制御部とを具備することを特徴とする表示装置。
【請求項２】
前記識別部は、各会社の電子機器にそれぞれ割り当てられたリモコンコードの一覧テーブルを保持することを特徴とする請求項１記載の表示装置。
【請求項３】
複数のリモコンに対応した画面情報を表示させる表示方法において、
前記リモコンから送信されるリモコンコード信号を受信し、そのリモコンコード信号からどのリモコンであるかを識別し、
前記複数のリモコンに対応した前記画面情報を予め保持し、
識別された前記リモコンに対応する前記画面情報の呼び出し要求があった場合に、保持された前記画面情報を表示させることを特徴とする表示方法。
【請求項４】
各会社の電子機器にそれぞれ割り当てられたリモコンコードの一覧テーブルを保持することを特徴とする請求項３記載の表示方法。
【発明の詳細な説明】
【技術分野】
【０００１】
この発明は、複数のリモコンに対応する装置に関し、複数のリモコンを識別し、識別したリモコンの特徴に合わせた表示を行うことができる表示装置及び表示方法に関する。この発明が適応される表示装置としては、例えば装置に内蔵されたハードディスクと、この装置に着脱自在で録再可能なＤＶＤ（デジタル・バーサタイル・ディスク）などの媒体を取り扱うことが出来る機器がある。
【背景技術】
【０００２】
従来、ＴＶやＤＶＤプレーヤ／レコーダなどの家庭用電子機器には、離れた場所から遠隔操作するリモコン（リモートコントロール）送信機が使われている。最近では、多機能化が進む電子機器において、ユーザーインターフェイスを改善する目的で複数個のリモコンを付属する機器があり、その一例として、全機能に対応したリモコン（通常リモコン）と、使用者が頻繁に使用する機能のみに対応した簡単リモコンとを付属するＤＶＤレコーダ等があげられる。
【０００３】
このような複数のリモコンに対応できる電子機器については、特開２００３−２３３９７７号公報に開示されている。
【特許文献１】特開２００３−２３３９７７号公報
【発明の開示】
【発明が解決しようとする課題】
【０００４】
上記特許文献１に記載の技術によると、複数のリモコン送信機からそれぞれ送信される互いに異なるフォーマットのリモコン信号を受信するリモコン信号受信部と、各リモコン送信機からそれぞれ送信されるリモコン信号の各々のフォーマットに関する情報が記憶されたメモリ部と、最初に電源投入されたのちにリモコン信号受信部に最初に受信したリモコン信号のフォーマットを、メモリ部の記憶情報との比較対照に基づき判別して、判別結果のフォーマットのリモコン信号のみを以後において受信可能に設定する機能を備えた制御部とを有するものである。すなわち、複数種類のリモコン送信機のうちの何れか１つのリモコン信号のみを択一的に受信できるものである。
【０００５】
しかしながら、受信装置が識別したリモコンに対応する表示内容や機能については何ら記載されておらず、特許文献１では受信装置が複数個のリモコンの特徴に合わせた表示，動作をさせることによる、使用者の利便性向上に対応できないという問題があった。
【０００６】
そこで、本発明は上記の問題を解決するために成されたものであり、複数個のリモコンの中から１つを識別し、その識別したリモコンの特徴に合わせた表示，動作をする表示装置及び表示方法を提供する。
【課題を解決するための手段】
【０００７】
上記した課題を解決するために、この発明は、複数のリモコンに対応する表示装置において、前記リモコンから送信されるリモコンコード信号を受信し、そのリモコンコード信号からどのリモコンであるかを識別する識別部と、前記複数のリモコンに対応した画面情報を予め保持する保持部と、前記識別部によって識別された前記リモコンに対応する前記画面情報の呼び出し要求があった場合に、前記保持部に保持された前記画面情報を表示させる制御部とを具備することを特徴とする。
【発明の効果】
【０００８】
この発明によれば、機器が複数個のリモコンの特徴に合わせた表示，動作をすることにより、使用者の利便性を向上させることができる。すなわち、通常リモコンのほかに簡単リモコンがあれば、機器の操作が苦手であっても機器の基本機能を楽しむことができる。また、特定の機能に特化したリモコン（たとえば編集リモコン）があれば、その機能の詳細なメニュー画面を表示することができるため、その機能を使用しやすくなる。
【発明を実施するための最良の形態】
【０００９】
以下、この発明の実施例について、図面を参照しながら詳細に説明する。
図１は、全機能に対応したリモコン（通常リモコン）を示した図である。図２は、使用者が頻繁に使用する機能のみに対応したリモコン（簡単リモコン）を示した図である。
【００１０】
図１及び図２に示したリモコン１００、２００は、ＤＶＤレコーダに対応したリモコンであるとする。図１の通常リモコン１００は、装置側の電源をＯＮ／ＯＦＦさせるための電源ボタン５０、録画したタイトル一覧を見るための見るナビボタン５２、録画したいタイトルを録画するための録るナビボタン５４、チャンネルを変更するためのチャンネルボタン５５、メニューを呼び出すためのスタートメニューボタン５６、タイトルを再生するための再生ボタン５７、再生中のタイトルなどを停止する停止ボタン５８、タイトルを録画するための録画ボタン５９などを備えており、これら以外の機能ボタンも完全装備されている。つまり、編集などの全機能に対応した通常リモコンである。
【００１１】
また、図２の簡単リモコン２００は、装置側の電源をＯＮ／ＯＦＦさせるための電源ボタン６０、メニューを呼び出すためのスタートメニューボタン６２、タイトルを再生するための再生ボタン６４、再生中のタイトルなどを停止する停止ボタン６６、タイトルを録画するための録画ボタン６８などは備えているが、これら以外の機能ボタンは極力省略された装備となっている。つまり、録る/見るといった基本的なボタンのみを配置した簡単リモコンである。
【００１２】
このように複数個のリモコンを付属することにより、さまざまな使用者がストレスを感じることなくＤＶＤレコーダを使用できるようになっている。
しかしながら、簡単リモコン２００を使用しても、通常リモコン１００を使用してもメニュー画面などのユーザーインターフェイス画面は同一である。その為、ＤＶＤレコーダに不慣れな使用者にとっては、依然として複雑（簡単でない）という印象を受けてしまいかねない。
【００１３】
本発明は、対象となる機器がそれぞれのリモコンに対応した画面表示，動作をするようにするものである。以下、本発明を２つのリモコンを有するＤＶＤレコーダを例にとって説明する。
【００１４】
通常、リモコンのボタンにはリモコンコードが割り付けられているが、２つのリモコン（図１、図２）を識別できるようにそれぞれに異なるリモコンコードを割り付けておく。このとき、図２の簡単リモコン２００のボタン全てに図１と異なるコードを割り付けても構わないし、電源などの特定のボタンのみに異なるコードを割り付けても構わない。
【００１５】
図２の簡単リモコン２００のボタン全てに図１と異なるコードを割り付けた場合、どのボタンを押してもＤＶＤレコーダは使用者がどちらのリモコンを使用しているか識別可能となる。また、電源などの特定のボタンのみに異なるコードを割り付けた場合、たとえば電源ボタンに異なるコードを割り当ててあるなら、電源ボタンを押すことにより、使用者がそのリモコンを使用していると識別可能となる。
【００１６】
ＤＶＤレコーダがいずれかのリモコンを識別した場合、画面上に表示されるメニュー画面，動作等は、そのリモコンに対応したものとなる。もし、図１に示すような通常リモコン１００を識別した場合、図３のような全機能に対応したスタートメニュー画面８０を表示し、図２のような簡単リモコン２００を識別した場合には図４に示すような頻繁に使用する機能のみに対応したメニュー画面８５となる。なお、図４の例では図３と比べて編集の項目、設定メニューが表示されていない。
【００１７】
このように、図１と図２のリモコンを複数有する機器の場合、図２の簡単リモコン２００を使用しているときには、この簡単リモコン２００に対応した録る/見るといった基本動作（簡単な機能）のみの画面表示となるため、容易に希望する項目を選択することができる。また、図１の通常リモコン１００を使用しているときには、全ての機能に対応した画面表示となるため、編集/ダビングといったより複雑な操作が可能となる。
【００１８】
次に、リモコンの信号フォーマットの一例を説明する。
図５は赤外線リモコン信号を示す図であり、リモコン信号が始まることを示すリーダコード３１、それぞれの電子機器を識別するために必要なカスタムコード３２、選択された電子機器への制御命令を示すデータコード３３によって構成されている。各電子機器の変調周波数、ビット０、ビット１のタイミング定義を示す。
【００１９】
具体的には、リーダコード３１は、９ｍｓの期間ｏｎ状態が続き、その後に４．５ｍｓの期間ｏｆｆ状態となるため、この部分はその後のカスタムコード３２やデータコード３３とは波形（時間）が大きく異なるので、容易にリーダ・コードであることを識別できる。カスタムコード３２は、１６ビット長で２つの８ビット部分に分けられ、各会社とその会社の電子機器を割り当てるためのコードである。例えば、Ｔ社のＤＶＤ、Ｓ社のＶＴＲ、Ｎ社のＶＴＲ、Ｆ社のＣＳチューナーといったものをコードで表す。データコード３３は、カスタムコード３２で割り当てられた各社の電子機器のうちで、ある機能キー（例えば再生、録画等）を割り当てるためのコードである。
【００２０】
図６にＴ社に割り当てられたリモコンコード表を示す。Ｔ社に割り当てられたカスタムコード３２は「０１ＡＢ」、「０１ＣＤ」である。ここでは機器コードは２つ割り当てられており（複数可）、その２つともＤＶＤレコーダで一方は通常リモコン用１００で、もう一方は簡単リモコン用２００である。データコード３３は、機能キーを割り当てを示すもので、例えば再生の場合は「１３」、録画の場合は「１４」、チャンネル＋の場合は「１５」、チャンネル−の場合は「１６」などとなっている。
【００２１】
よって、Ｔ社のＤＶＤレコーダの通常リモコン１００を使って再生ボタンを押下した場合は、「０１ＡＢ１３」を表す波形がリモコンより送信される。
次に、図７に本発明の実施形態に係る表示装置の概略構成のブロック図を示す。
この実施例で示した表示装置では、記録媒体としてＤＶＤ−ＲＡＭ、ハードディスクの両方を取り扱うことが出来る。図７は、ＤＶＤ−ＲＡＭドライブ装置８とハードディスクドライブ装置９を有する。ＤＶＤ−ＲＡＭドライブ装置８では、光ディスクメディアであるＤＶＤ−ＲＡＭの読み書きができ、また幾つかの種類のＤＶＤ−ＲＡＭに対応してアクセスが可能である。ハードディスクドライブ９には、記録媒体としてハードディスクメディアが内蔵されている。
【００２２】
これら、２つの記録メディアのドライブ装置は、回転制御系や、レーザー駆動系回路や、光学系回路または、メディアに記録されたデータのエラー訂正などの処理もすべて含まれた装置である。
【００２３】
この表示装置の基本的な動作を説明する。映像入力部１および音声入力部２から映像信号と音声信号が入力される。映像信号は、アナログデジタル（Ａ／Ｄ）変換回路３で、音声信号は、Ａ／Ｄ変換回路４にてアナログ信号からディジタル信号に変換される。
【００２４】
変換された映像ディジタル信号は、エンコーダ５にてＭＰＥＧ２の圧縮ビデオデータに符号化され、音声ディジタル信号は、例えばＡＣ３やＭＰＥＧなどの圧縮オーディオデータに符号化される。さらに、これらの圧縮されたビデオとオーディオデータは、さらに、エンコーダ５にてＭＰＥＧ２システムレイヤーに変換される。
【００２５】
エンコーダ５からの信号は、フォーマッタ６でフォーマット変換され、ＤＶＤレコーディング規格（ＤＶＤ−ＲＡＭ，ＤＶＤ−ＲＷなど）に規定したフォーマットに変換される。
【００２６】
フォーマット変換された信号は、データ処理部７にてＤＶＤ−ＲＡＭドライブ８或はハードディスクドライブ９に準拠したコマンドを含めた記録データに変換され、ＤＶＤ−ＲＡＭやハードディスクに記録される。データ処理部７は主にバッファ回路で占められている。
【００２７】
ここで、本装置は、フォーマット変換されたデータのほかに、再生用管理情報をＭＰＵ部１８で作成し、データ処理部７を介してＤＶＤ−ＲＡＭ或はハードディスクに記録する。
【００２８】
また、ＤＶＤ−ＲＡＭに記録された情報をデータ処理部７を介してハードディスクに記録することも出来る。反対に、ハードディスクの情報をＤＶＤ−ＲＡＭに記録することも可能である。ただし、ＤＶＤ−ＲＡＭもハードディスクも同じフォーマットであることが条件である。
【００２９】
また、ＤＶＤ−ＲＡＭあるいはハードディスクに記録された複数番組の編集も可能になる。その場合、ＤＶＤ−ＶＲフォーマットに対応した方法などにて、容易に複数番組の削除や、編集用再生等が可能である。その場合、ＭＰＵ部１８にて、それら管理情報の修正と、さらに、フォーマットされた信号の複写・移動・削除などがデータ処理部７を介して行われる。
【００３０】
記録したデータを再生する場合、ＤＶＤ−ＲＡＭやハードディスクからデータ処理部７にフォーマットされたデータが入力され、データ処理部７の出力がデコーダ１０に入力される。デコーダ１０では、ＤＶＤフォーマット信号のデコードを行う。
【００３１】
デコーダ１０は、主に、フォーマットされたデータを分離する部分と、分離された圧縮ビデオデータ、オーディオデータをそれぞれデコードする部分を有する。ビデオデータはＭＰＥＧ２方式によるデコード処理を施され、オーディオデータはＭＰＥＧやＡＣ３などのデコード処理を施される。デコードされたビデオデータ、オーディオデータは、それぞれ、セレクタ１１Ａ、１１Ｂに送られる。セレクタ１１Ａ、１１Ｂでは、入力信号をそのままデジタルアナログＤ／Ａ変換回路１２、１３に送る場合と、記録された情報を再生する場合で切り替る。切替の制御は、ＭＰＵ部１８が行う。セレクタ１１Ａから出力されたビデオデータは、Ｄ／Ａ変換回路１２でアナログ信号に変換され、モニタ１４に供給される。またセレクタ１１Ｂから出力されたオーディオデータはＤ／Ａ変換回路１３でアナログ信号に変換され、スピーカ１５に供給される。
【００３２】
また、ＭＰＵ部１８では、上記に述べた以外に、キー入力部１６（例えばリモコン）からユーザーのリモコンコードを受けて、表示装置の表示動作の制御を行う。本発明では、このキー入力部１６からのリモコンコードをリモコンコード識別部１７ａにて識別しリモコンを特定した後、そのリモコンの特徴にあった表示を行うものである。そこで、どのように表示させるのかを図８を用いて説明する。図８は上記表示装置を用いた場合の表示方法についてのフローチャートである。ここでは図１の通常リモコン１００と図２の簡単リモコン２００の２つに対応した表示装置であることを想定して説明する。
【００３３】
まず、ユーザが通常リモコン１００を操作してあるＤＶＤのタイトルを再生しようとする。そして、ユーザがこのリモコン１００の再生ボタンを押下すると、通常リモコン１００から予め割り当てられているリモコンコードが表示装置に送信される。表示装置では送信されたリモコンコードをリモコンコード識別部１７ａにて受信し、どのリモコンかを識別する（ＳＴ１、３）。
【００３４】
具体的には、リモコンコード識別部１７ａには、図６のようなリモコンコード表が格納されており、リモコンコード識別部１７ａは受信したリモコンコードと格納してあるリモコンコード表とを比較して、どのリモコンかを識別する。ここでは、例えば「０１ＡＢ１３」が受信されるため、リモコンコード識別部１７ａはコード表よりＴ社のＤＶＤレコーダの通常リモコン１００の「再生」であることを識別する。通常リモコン１００であることを識別すると、ＭＰＵ１７はＲＯＭ１７ｂに格納してある通常リモコン１００用の画面情報（例えば図３で示したスタートメニュー画面）を呼び出す（ＳＴ５）。そして、この画面情報をデコーダ１０を介してモニタ１４に表示させる（ＳＴ７）。
【００３５】
またステップＳＴ３にて、通常リモコン１００でなく簡単リモコン２００であると識別すると、ＭＰＵ１７はＲＯＭ１７ｂに格納してある簡単リモコン２００用の画面情報（例えば図４で示したスタートメニュー画面）を呼び出す（ＳＴ９）。そして、この画面情報をデコーダ１０を介してモニタ１４に表示させる（ＳＴ１１）。
【００３６】
以上のように、機器が複数個のリモコンの特徴に合わせた表示，動作をすることにより、使用者の利便性を向上させることができる。つまり、通常リモコンのほかに簡単リモコンがあれば、機器の操作が苦手であっても機器の基本機能を楽しむことができる。また、特定の機能に特化したリモコン（たとえば編集リモコン）があれば、その機能の詳細なメニュー画面を表示することができるため、その機能を使用しやすくなる。
【００３７】
なお、この説明では、通常リモコンと簡単リモコンを例にとって説明したが、予約リモコン、編集リモコンなどある機能に特化したリモコンであっても構わないし、個人用にカスタマイズされた（番組の好みを反映できる）個人リモコンでも構わない。
【００３８】
なお、本発明は、上記実施形態に限定されるものではなく、実施段階では、その要旨を逸脱しない範囲で種々に変形することが可能である。
【図面の簡単な説明】
【００３９】
【図１】全機能に対応したリモコン（通常リモコン）を示した図。
【図２】使用者が頻繁にしようする機能のみに対応したリモコン（簡単リモコン）を示した図。
【図３】全機能に対応したスタートメニュー画面を示す図。
【図４】頻繁に使用する機能のみに対応したメニュー画面を示す図。
【図５】赤外線リモコン信号を示す図。
【図６】Ｔ社に割り当てられたリモコンコード表を示す図。
【図７】本発明の実施形態に係る表示装置の概略構成のブロック図。
【図８】表示装置を用いた場合の表示方法についてのフローチャート。
【符号の説明】
【００４０】
１４・・・モニタ、１６・・・キー入力部、１７・・・ＭＰＵ、１７ａ・・・リモコンコード識別部、１７ｂ・・・ＲＯＭ
【図１】
2008160412.tif 000003
【図２】
2008160412.tif 000004
【図３】
2008160412.tif 000005
【図４】
2008160412.tif 000006
【図５】
2008160412.tif 000007
【図６】
2008160412.tif 000008
【図７】
2008160412.tif 000009
【図８】
2008160412.tif 000010